(57)【特許請求の範囲】
【請求項１】
洗面器を置くための洗面器置き部が上面に形成されている浴室用カウンターであって、上記の洗面器置き部が、この洗面器置き部の中央を頂点にして断面略円弧状に上方に張り出されて脚付き洗面器を支持可能に形成されていることを特徴とする浴室用カウンター。
【請求項２】
請求項１記載の浴室用カウンターであって、洗面器置き部の輪郭が円形状に形成され、この洗面器置き部の周りが、洗面器置き部から流れ落ちる水の排水路に形成されていることを特徴とする浴室用カウンター。
【請求項３】
請求項１又は２記載の浴室用カウンターであって、洗い場側の前端の高さが、奥側の後端の高さより低く形成されると共に、上記の前端と後端が左右方向の全長にわたって同じ高さに形成されていることを特徴とする浴室用カウンター。
【請求項４】
請求項１乃至３の何れかに記載の浴室用カウンターであって、上面において最も高い位置が、洗面器置き部の頂点に選定されていることを特徴とする浴室用カウンター。
【請求項５】
請求項１乃至４の何れかに記載の浴室用カウンターであって、洗面器置き部と、上面とが、なだらかに接続されていることを特徴とする浴室用カウンター。
【発明の詳細な説明】
【技術分野】
【０００１】
本発明は浴室用カウンターに関し、更に詳しくは入浴時に洗面器等を載置して使用する浴室用カウンターに関するものである。
【背景技術】
【０００２】
従来この種のカウンターは、通常、上面が洗い場側に向かって下り勾配に形成され、洗面器が洗い場に滑り落ちることを防止するための凸段差部が、上面の前端に形成されていた。
而して、この従来品の場合は、凸段差部が排水経路上に突き出されているため、この凸段差部の周辺が汚れ易い、という問題点があった。従って従来品を使用すると、掃除の手間暇が増加し、凸段差部によって上面の美感が害されるのを避けられなかった。
【０００３】
また従来この種のカウンターとしては、例えば特許文献１に記載されているものがある。
この従来品は、洗面器の載置箇所である上面を後方に下り傾斜状に形成し、上面の水を、一旦、後側（奥側）に流してから、載置箇所の左右側に形成した溝状の排水案内流路で洗い場側に戻して排水するよう形成している。
【０００４】
而して特許文献１に記載の従来品は、上記の通り、上面が後方に下り傾斜状に形成されているため、洗面器を上面に置くと、洗面器が後側（壁側）に滑って移動し易かった。
従って従来品を使用すると、洗面器の位置が入浴者から遠くなり、入浴者は腕を伸ばしたり、身体を前傾させなければならないという不便があり、使い勝手が悪いものであった。
またこの従来品の場合は、上面に排水案内流路が溝状に形成されていたから、この箇所が汚れ易かった。従って従来品によると、掃除の手間暇が増え、また溝状の段差によって上面の美感が害される、という問題点があった。
【先行技術文献】
【特許文献】
【０００５】
【特許文献１】特許第３２０２１８０号公報
【発明の概要】
【発明が解決しようとする課題】
【０００６】
本発明は、このような従来品の問題点に鑑み、提案されたものである。
従って本発明の解決しようとする技術的課題は、洗面器を置くための洗面器置き部が上面に形成されている浴室用カウンターにおいて、洗面器を前方又は後方に滑らすことなく安定した姿勢で置くことができ、また洗面器置き部を汚れにくくし、掃除を容易化できると共に、意匠性も良くなるよう形成した浴室用カウンターを提供することにある。
【課題を解決するための手段】
【０００７】
本発明は、上記の課題を解決するため、次のような技術的手段を採る。
即ち本発明は、図１等に示されるように、洗面器１を置くための洗面器置き部２が上面３に形成されている浴室用カウンターであって、上記の洗面器置き部２が、この洗面器置き部２の中央２ａを頂点にして断面略円弧状に上方に張り出されて脚１ａ付き洗面器１を支持可能に形成されていることを特徴とする（請求項１）。
【０００８】
ここで、断面略円弧状とは、円弧には限られず、円錐面形状も含まれる、ということを意味する。洗面器置き部２の輪郭は、円形状には限られず、例えば楕円形状でも良い。
【０００９】
またここで、脚１ａ付き洗面器１を支持可能に形成され、とは、洗面器１を載置したとき、洗面器置き部２の頂点が洗面器１の底を突き上げて洗面器１の脚１ａを浮かせることがないよう形成されている、ということを意味する。
【００１０】
なお、本発明の場合、洗面器１の外形状は、自由である。また脚１ａは、通常、洗面器１の底面に円環形に形成されるが、脚１ａの間から水切りできるよう、突起状に形成されているのでも良い。
【００１１】
而して、本発明は、図２、図４に示されるように、洗面器置き部２の輪郭が円形状に形成され、この洗面器置き部２の周りが、洗面器置き部２から流れ落ちる水の排水路７に形成されているのが好ましい（請求項２）。
なぜならこれによると、洗面器置き部２から流れ落ちる水を、排水用の特別な溝を講じることなく、洗面器置き部２の周りから洗い場４側又は壁側に導いて排水できるからである。またこの場合は、洗面器置き部２の輪郭が円形状のため、洗面器置き部２の中央２ａが頂点になり、洗面器１を前後左右のバランスが良い状態で置くことができるからである。
【００１２】
またこの場合、本発明は、洗い場４側の前端５の高さが、奥側の後端６の高さより低く形成されると共に、上記の前端５と後端６が左右方向の全長にわたって同じ高さに形成されているのが好ましい（請求項３）。
なぜならこれによると、上面３の水を洗い場４側に、排水距離を最短状態で、迅速に排水できるからである。またこの本発明品は、デザインがシンプルで、製造、加工が容易になり、また整然とした印象を見る者に与えることができるからである。
【００１３】
また本発明は、上面３において最も高い位置が、洗面器置き部２の頂点に選定されているのが好ましい（請求項４）。
なぜならこれによると、洗面器置き部２の頂点を中心に、上面３が水切り、水捌けされ、掃除を楽に且つ容易にできるからである。
【００１４】
また本発明は、洗面器置き部２と、上面３とが、なだらかに接続されているのが好ましい（請求項５）。
なぜならこれによると、洗面器置き部２と上面３の接続箇所に汚れがつきにくくなり、掃除を一層容易化できるからである。
【発明の効果】
【００１５】
本発明は、このように洗面器を置くための洗面器置き部が、この洗面器置き部の中央を頂点にして断面略円弧状に上方に張り出されて脚付き洗面器を支持可能に形成されているものである。
従って本発明によれば、洗面器を、前方又は後方に滑らすことなく、洗面器置き部に安定的に置くことができる。
また本発明は、洗面器置き部から水が四方八方に満遍なく流れ落ち、洗面器置き部が膨らみ状に露出しているから、洗面器置き部に汚れがつきにくくなり、掃除を容易化でき、意匠性も良くなるものである。
また本発明の場合、洗面器置き部は、その中央を頂点にして断面略円弧状に上方に張り出されているから、これによれば、洗面器を載置し易くなるものである。
【図面の簡単な説明】
【００１６】
【図１】本発明の浴室用カウンターの好適な一実施形態を示す使用状態時の要部正面図である。
【図２】同上カウンターの斜視図である。
【図３】同上カウンターの使用状態時の側面図である。
【図４】同上カウンターの平面図である。
【図５】図４のＶ−Ｖ線断面図である。
【図６】図４のＶＩ−ＶＩ線断面図である。
【図７】同上カウンターの他の実施形態を示す平面図である。
【図８】同上カウンターの更に他の実施形態を示す平面図である。
【図９】図８のＩＸ−ＩＸ線における要部拡大断面図である。
【発明を実施するための形態】
【００１７】
以下、本発明を実施するための好適な一実施形態を、添付図面に従って説明する。
本発明は、図１等に示されるように、洗面器１を置くための洗面器置き部２が上面３に形成されている浴室用カウンターである。
【００１８】
上記の洗面器置き部２は、この実施形態では断面が円弧状に張り出されて脚１ａ付き洗面器１を支持可能に形成されている。洗面器１は、平面視で円形に形成され、脚１ａは底面に円環状に形成されている。
【００１９】
洗面器置き部２の輪郭は、図２、図４に示されるように、この実施形態では上から見て円形状であり、中央２ａが頂点に選定されている。この場合、この実施形態の本発明品は、上面３において最も高い位置が、洗面器置き部２の頂点に位置決めされている。
【００２０】
またこの実施形態の場合、洗面器置き部２の曲率半径は、１０００（ｍｍ）に選定されている。また本発明は、洗い場４側の前端５の高さが、奥側の後端６の高さより低く形成されて上面３が洗い場４側に下り傾斜状に形成されている。また洗い場４側の前端５と、奥側の後端６は、左右方向の全長にわたって同じ高さに形成されている。
【００２１】
そして本発明品は、洗面器置き部２と上面３とが、なだらかに接続され、図２等に示されるように、洗面器置き部２の周りが、洗い場４側に排水を導いて流すための排水路７に形成されている。従ってこの実施形態の場合は、洗面器置き部２と上面３との接続箇所である洗面器置き部２の外側位置（輪郭箇所）が、排水路７として機能する。
【００２２】
またこの実施形態の本発明品は、洗面器置き部２が左右方向の中央位置に形成されている。また洗面器置き部２の左右側の上面３が、石鹸やシャンプー容器等の物品載せ部８に形成されている。
従ってこの実施形態の本発明品は、形状が左右対称となるため、浴室の仕様が、左勝手仕様、右勝手仕様と異なる場合でも柔軟に対応できる。
【００２３】
次に本発明品の使用例や水の流れについて説明する。
入浴者は、洗面器置き部２に洗面器１を載せて使用する。この場合、この実施形態では洗面器置き部２が円形状で、その中央２ａが頂点に選定されているから、入浴者は洗面器１の底の中心を洗面器置き部２の頂点に合わせて載置するのが良い。
【００２４】
而して、本発明の場合、洗面器置き部２は、断面が円弧状である。従って本発明によると、洗面器１は、前後方向や左右方向に滑り落ちることなく、洗面器置き部２に安定的に支持される。
【００２５】
また洗面器置き部２の上の水は、図２に矢示されるように、四方八方に万遍なく流れて洗面器置き部２の周りに流れ落ち、排水路７に導かれて洗い場４に排水される。また本発明の場合、洗面器置き部２の左右側の、物品載せ部８の上の水は、洗い場４側に向かって真っ直ぐ流れ、エプロン部９を伝わり落ちて排水される。
【００２６】
以上の処において、本発明は、図７に示されるように、上面３が上から見て、例えば半円状に形成され、上例のような左右方向に延びる物品載せ部８が省略されているのでも良い。
【００２７】
また本発明は、図８、図９に示されるように、洗面器置き部２に、洗面器１の滑り落ちを防止するための突起１０が形成されているのでも良い。なぜならこれによると、洗面器１の載置姿勢、載置状態を安定化でき、使い勝手が良くなるからである。
【００２８】
この実施形態の場合、突起１０は、洗面器置き部２の中央２ａより少し後側に、中央２ａを中心とする同心円線上に、計３個形成され、洗面器１が前方（図９の矢示方向）に滑り落ちることが防止されるよう形成されている。洗面器１は、図９に示されるように、脚１ａの内側が、突起１０の外側面１０ａに係止して滑り落ちが防止されるものである。
なお、この本発明の場合、突起１０の形状や個数、及びその形成位置等は、これに限定されるものではなく、適宜選定されるので良い。
【００２９】
また本発明は、洗面器置き部２が、上面３と色調を変えて形成されたり、洗面器１を載置する箇所であることを示すマークが施されているのでも良い。
なぜならこれによると、洗面器１の載置箇所が分かり易くなり、使い勝手が良くなるだけではなく、他のカウンターと区別、差別化でき、印象的なデザインのカウンターを提供できるからである。
【符号の説明】
【００３０】
１      洗面器
１ａ    脚
２      洗面器置き部
２ａ 中央
３      上面
４      洗い場
５      前端
６      後端
７      排水路
８      物品載せ部
９      エプロン部
【図１】
0005663998.tif 000002
【図２】
0005663998.tif 000003
【図３】
0005663998.tif 000004
【図４】
0005663998.tif 000005
【図５】
0005663998.tif 000006
【図６】
0005663998.tif 000007
【図７】
0005663998.tif 000008
【図８】
0005663998.tif 000009
【図９】
0005663998.tif 000010